(57)【要約】【課題】スパウト付きガゼット袋の自立性を向上させる。【解決手段】スパウト付きガゼット袋１において、袋本体２を、対向する一対の平面部３と、これら平面部３の両側部に配されて、これら平面部３の対向し合う側縁同士に接続される一対の側面部４と、袋本体２の底部を閉鎖する底面部６とで構成する。前記側面部４は、この袋本体２の上下方向に延びる折り込み線５によって、袋本体２の内側に向けて折り込み可能とする。そして、底面部６は、平面部３及び側面部４の下端縁に、これら平面部３及び側面部４とは別体の底面部６を貼り合わせ、この底面部６により袋本体２の底面を平坦に形成する。【選択図】図１
2008044641.tif 000002
【特許請求の範囲】
【請求項１】
フィルム材からなる袋本体と、この袋本体に取り付けられて、該袋本体の内外を連通せしめるスパウトとを具備し、
前記袋本体が、対向する一対の平面部と、これら平面部の両側部に配されて、これら平面部の対向し合う側縁同士に接続される一対の側面部と、該袋本体の底部を閉鎖する底面部とから構成され、
前記側面部には前記袋本体の上下方向に延びる折り込み線が設けられて、前記側面部がこの折り込み線によって、袋本体の内側に向けて折り込み可能に形成され、
前記底面部は、前記平面部及び前記側面部の下端縁に、これら平面部及び側面部とは別体の底面部が貼り合わされてなり、
前記底面部により前記袋本体の底面が平坦に形成されるよう構成されたことを特徴とするスパウト付きガゼット袋。
【請求項２】
前記底面部は、四角形状のフィルム材からなり、
この底面部は、その中心部に左右に延びる折り線が形成され、該底面部の両側縁から所定寸法だけ中心側に位置する前記折り線上の基点と、各基点に近い側縁における両隅とをそれぞれ結ぶ折り斜線が、前記折り線と同方向に突出するよう折り曲げられると共に、各基点と各基点に近い側縁との前記折り線上の範囲が、この折り線の折り込み方向とは逆方向に折り曲げられて、舟形に形成され、
かつ、前記基点と各側縁との間の前記所定寸法が、前記側面部がその折り込み線により内側に折り込まれる折り込み量に対応するよう設けられ、
この舟形の底面部は、前記平面部及び前記側面部の下側から前記折り線を上側に向けて挿入されて、その周縁が前記平面部及び前記側面部の内面に貼り合わされることを特徴とする請求項１に記載のスパウト付きガゼット袋。
【請求項３】
少なくとも一方の平面部が、その下端縁から一定寸法上方の位置で外側に折り返され、かつ、前記側面部が、前記折り込み線上におけるこの側面部の下端縁から一定寸法上方に位置する基点と、この側面部の下端側の両隅とを結ぶ折返し斜線が、前記折り込み線と同方向に突出するように折り込まれて、前記平面部及び前記側面部の底部に開き面が形成され、
この開き面に、四角形状のフィルム材からなる前記底面部の周縁が前記平面部及び前記側面部の内面に貼り合わされることを特徴とする請求項１に記載のスパウト付きガゼット袋。
【発明の詳細な説明】
【技術分野】
【０００１】
本発明は、底面が平坦に形成されて自立性に優れ、かつスパウトの設けられたスパウト付きガゼット袋に関する。
【背景技術】
【０００２】
従来からガゼットタイプの包装体においては、その上部に内外を連通するスパウトの取り付けられたスパウト付きガゼット袋が知られている。その代表例として、特許文献１や特許文献２に開示されたものが挙げられる。これら特許文献１及び特許文献２に開示されたスパウト付きガゼット袋では、その底面は、平面部で側面部を挟み込み、平面部及び側面部の下端縁が相互に貼り合わされることで密閉される。そして、対向する一対の平面部に関して、その下端縁から一定の寸法だけ上側の位置をガゼット袋の内側に折り曲げて袋本体の底部を平坦にして自立性を付与していた。
【０００３】
【特許文献１】特開２００２−１７９１０２号公報
【特許文献２】特開２００２−３２８６４８号公報
【発明の開示】
【発明が解決しようとする課題】
【０００４】
これら特許文献１及び特許文献２に開示されたスパウト付きガゼット袋では、内容物が十分に収容されていれば、自立性は確保される。しかし、内容物の残量が減少すると、平面部を内側に折り曲げて底面部として機能させていた部位は、折り曲げておくことが困難となり、安定性を失い底面部として機能しなくなる。
【０００５】
内容物を一度に使い切るような場合には、特段の不都合は生じない。しかし、内容物を徐々に消費するために、スパウトのキャップを再密封しなければならない場合には、たとえ、内容物の残量が少量であっても自立性は確保されなければならない。
【０００６】
そこで、本発明では、内容物の残量に拘わらず、高い自立性を有するスパウト付きガゼット袋を提供する。
【課題を解決するための手段】
【０００７】
本発明ではこのような課題を解決するために、フィルム材からなる袋本体と、この袋本体に取り付けられて、該袋本体の内外を連通せしめるスパウトとを具備し、前記袋本体が、対向する一対の平面部と、これら平面部の両側部に配されて、これら平面部の対向し合う側縁同士に接続される一対の側面部と、該袋本体の底部を閉鎖する底面部とから構成され、前記側面部には前記袋本体の上下方向に延びる折り込み線が設けられて、前記側面部がこの折り込み線によって、袋本体の内側に向けて折り込み可能に形成され、前記底面部は、前記平面部及び前記側面部の下端縁に、これら平面部及び側面部とは別体の底面部が貼り合わされてなり、前記底面部により前記袋本体の底面が平坦に形成されるよう構成されたスパウト付きガゼット袋を採用した。
【０００８】
本発明では、かかるスパウト付きガゼット袋に関して、前記底面部を、四角形状のフィルム材で構成し、この底面部について、その中心部に左右に延びる折り線を形成し、該底面部の両側縁から所定寸法だけ中心側に位置する前記折り線上の基点と、各基点に近い側縁における両隅とをそれぞれ結ぶ折り斜線を、前記折り線と同方向に突出するよう折り曲げると共に、各基点と各基点に近い側縁との前記折り線上の範囲を、この折り線の折り込み方向とは逆方向に折り曲げて、舟形に形成し、かつ、前記基点と各側縁との間の前記所定寸法を、前記側面部がその折り込み線により内側に折り込まれる折り込み量に対応するよう設け、この舟形の底面部を、前記平面部及び前記側面部の下側から前記折り線を上側に向けて挿入して、その周縁を前記平面部及び前記側面部の内面に貼り合わせて構成する。
【０００９】
または、少なくとも一方の平面部を、その下端縁から一定寸法上方の位置で外側に折り返し、かつ、前記側面部を、前記折り込み線上におけるこの側面部の下端縁から一定寸法上方に位置する基点と、この側面部の下端側の両隅とを結ぶ折返し斜線が、前記折り込み線と同方向に突出するように折り込み、前記平面部及び前記側面部の底部に開き面を形成し、この開き面に、四角形状のフィルム材からなる前記底面部を重ね、その周縁を前記平面部及び前記側面部の内面に貼り合わせて構成する。
【発明の効果】
【００１０】
本発明によれば、袋本体の底面は、平面部及び側面部のいずれとも異なる別部材を使用して、平面部及び側面部により構成される筒体にこの別部材を貼り合わせて構成されるため、袋本体の底部を平坦に構成することができる。このため、内容物の残量にかかわらず、高い自立性をスパウト付きガゼット袋に付与できる。
【発明を実施するための最良の形態】
【００１１】
以下、本発明の実施の形態について図面を参照しながら説明する。
【００１２】
図１は、本発明の１実施形態にかかるスパウト付きガゼット袋１の斜視図を示している。この図１に示すように、スパウト付きガゼット袋１は、袋本体２と、この袋本体２の上端に取り付けられて袋本体２の内外を連通させるスパウト２０とから構成されている。
【００１３】
袋本体２は、対向する一対の平面部３と、これら平面部３の側縁部にて平面部３の間に介在された一対の側面部４とを備えている。これら平面部３と側面部４とは、筒体１０を形成する。この平面部３と側面部４とから構成される筒体１０の底部には、この筒体１０の開口部を閉鎖してこのスパウト付きガゼット袋１の底部として構成される底面部６が設けられている。
【００１４】
平面部３は、その外形が四角形状をなすフィルム材から構成されている。これに対し、側面部４は、このスパウト付きガゼット袋１の厚み方向の中央に、上下に延びる折り込み線５が設けられており、この折り込み線５により折り曲げられて、袋本体２の内側に折り込むことができるように構成されている。なお、この側面部４もフィルム材により構成されている。そして、平面部３及び側面部４とは、それぞれの側縁同士が相互にヒートシールされて接合され、筒体１０が形成される。さらに、この筒体１０は、開口された底部が底面部６により密閉される。底面部６もその外形が四角形状のフィルム材から構成されている。底面部６は、その周縁が、筒体１０をなす平面部３及び側面部４の下端縁の内面と重ね合わされて、相互にヒートシールされて、接合される。
【００１５】
かかる袋本体２の上部には、その幅方向の中央部に、袋本体２から上方に向けて突出するように取り付けられたスパウト２０が設けられている。このスパウト２０は、図２に示すように、胴部２１と、この胴部２１と同一軸線状に配置された筒状の口部２３とを備えている。そして、この口部２３には、図１に示すように、その外周にキャップ２６が着脱可能に締め込まれて口部２３が開閉される。胴部２１には、左右に張り出す被シール部２２が形成されている。この被シール部２２は、袋本体２に取り付けられる際に、袋本体２とのシール面積を確保して、シール性を高める機能を有している。一方、口部２３にはその外周面に螺旋状の雄ねじ部２４が形成されている。この雄ねじ部２４には、キャップ２６の内周面に形成された螺旋状の雌ねじ部が係合する。キャップ２６は、その内周面に形成された雌ねじ部が、口部２３の雄ねじ部２４に係合されることで、口部２３に対して着脱可能に締め込まれる。なお、胴部２１と口部２３との境界部分には、上下に段をなして外側方に張り出すフランジ部２５が形成されている。
【００１６】
かかる構成のスパウト２０は、口部２３が袋本体２の上端から上方に突出される状態で、胴部２１が一対の平面部３の間に挟み込まれ、その状態で平面部３の上端にシールされて取り付けられる。なお、この実施形態に使用されるスパウト２０は、胴部２１の下側が短く形成されているが、胴部２１から長く延びるタイプのものを使用しても良い。
【００１７】
次に、このスパウト付きガゼット袋１の底面部６を、平面部３と側面部４とから構成される筒体１０に貼り合わせるいくつかの手法について説明する。
【００１８】
図３〜図５は、その第１の手法として。舟形に折り込まれた底面部６を使用する場合を示している。この底面部６の元の外形は図３に示すように、四角形状をなしている。最初に、この底面部６を中心線で折り込んで中心折り線７を形成する。そして、底面部６の両側縁から一定の寸法だけ内側の位置の点をそれぞれ基点Ｐとする。そして、この各基点Ｐと、各基点Ｐに近い方の側縁部の両隅部Ｑとの区間８を、中心折り線７の折り込みの方向と同方向に突出するように折り込む。また、基点Ｐと各基点Ｐに近い方の底面部６の側縁との間の区間９について、中心折り線７を元の折り込みの方向とは逆に折り返す。そうすると、四角形状をなしていた底面部６は、図４に示すように舟形に折り込まれる。
【００１９】
底面部６を舟形に折り込んだ後、図５に示すように、筒体１０の下端側から底面部６をその内部に挿入する。この際、中心折り線７が筒体１０の内側に向けられるようにして挿入する。底面部６を挿入後、筒体１０を構成している平面部３及び側面部４の内面に底面部６の周縁がヒートシールされるように熱板を押し当てて、筒体１０と底面部６とをヒートシールする。図５においてハッチングを施した部位が、ヒートシールされた部位である。
【００２０】
次に筒体１０の底部に開き面３０を形成し、この開き面３０に底面部６を貼り合わせて袋本体２が形成されるものについて説明する。図６及び図７は、筒体１０に開き面３０を形成し、底面部６を貼り合わせる手法のうち第１の手法を示すものである。
【００２１】
まず、平面部３及び側面部４からなる筒体１０の底部に関して、一方の平面部３をその下端から一定の寸法だけ上側に位置する基線Ｌ１で外側に折り返す。平面部３と側面部４とは相互の側縁同士がヒートシールされているため、平面部３の折返しに伴って各側面部４の下部も図６に示すようにそれぞれ折り込まれる。この側面部４の折り込みは次のようにして行われる。
【００２２】
各側面部４の下部に関し、その下端から所定の寸法だけ上側に位置する、折り込み線５上の点が基点Ｒとして定まる。なお、この基点Ｒと側面部４の下端との間の寸法は、平面部３における下端と基線Ｌ１との間の寸法に対応している。また、この基点Ｒと、側面部４の下端側の両隅Ｓとを結ぶ線を折返し斜線３１とする。そして、この折返し斜線３１が側面部４の折り込み線５と同方向に突出されるように、側面部４を外側方に折り返す。そうすると、平面部３については、基線Ｌ１より下側の領域に関してその内面が露出され、側面部４については、基点Ｒより下側の領域に関してその内面が露出される。露出されたこれら平面部３の内面及び側面部４の平面が開き面３０として構成される。
【００２３】
このようにして開き面３０を形成した後、四角形状のフィルム材からなる底面部６がこの開き面３０に重ねられる。その後、底面部６の周縁と前記平面部３及び前記側面部４の内面とがヒートシールされ、袋本体２の底部が密閉される。図７においてハッチングで示した部位がヒートシールされた部分である。
【００２４】
なお、この図６及び図７に示す実施の態様では、開き面３０を形成する際に、一方の平面部３のみを外側に折り返して形成したものを示しているが、これには限定されず、双方の平面部３を外側に折り返して開き面３０を形成してもよい。
【００２５】
次に図８及び図９を参照して、筒体１０の底部に開き面を形成して底面部を貼り合わせる第２の手法について説明する。
【００２６】
まず、平面部３及び側面部４からなる筒体１０に対して、その４隅の位置、すなわち平面部３と側面部４との接合部に下端部からそれぞれ接合部に沿って一定寸法の切り込み４１を入れる。これらの切り込み４１は、略同一深さとする。
【００２７】
次いで、各平面部３に関し、その下端から一定の寸法だけ上側の位置を基線Ｌ２として、この基線Ｌ２より下側の部位を外側に折り返す。また、各側面部４についても、同様に、外側に向けて折り返す。この側面部４の折返しは、次のようにして行われる。各側面部４について、その下端から一定寸法だけ上側に位置する折り込み線５上の一点をそれぞれ基点Ｔと定める。この基点Ｔと、平面部３と側面部４との接合部に入れられた切り込みの先端部Ｕとを結ぶ線を折返し斜線４２とする。そして、この折返し斜線４２が側面部４の折り込み線５と同方向に突出されるようにして側面部４を外側方に折り返す。
【００２８】
このようして平面部３と側面部４とを外側に折り返すことで、平面部３の内面が露出されると共に、側面部４の内面が露出される。この露出された部位が開き面４０とされる。なお、折り込み線５上における、基点Ｔよりも下側の範囲は、折り込み線５が折り込まれた折返し方向とは逆向きとなる折り線４３が形成される。
【００２９】
このようにして形成された開き面４０には、その後、四角形状のフィルム材からなる底面部６が重ね合わされる。この底面部６には、その中心に中心折り線７が形成される。重ね合わせる際には、底面部６は、この中心折り線７が、外側に折り返されて開き面４０の一部を構成している側面部４の折り線４３に一致される。その後、底面部６の重ね合わされた開き面４０について、平面部３同士を重ね合わせると共に、折り返された側面部４を折り線４３の位置で二つ折りし、底面部６が中心折り線７で二つ折りされる状態を形成して開き面４０を閉じる。そして、平面部３の外側からシールバーを押し当てるなどして、平面部３及び側面部４の内面に底面部６の周縁をヒートシールする。図９において、ハッチングを施した部分がヒートシール部である。
【００３０】
その後、ヒートシール部よりも外側に張り出す平面部３及び側面部４を切除して袋本体２の底部を完成させる。
【００３１】
以上のスパウト付きガゼット袋１は、袋本体２を構成する平面部３、側面部４及び底面部６が、次のような積層フィルムにより構成される。
【００３２】
ＯＮ＃１５／ＤＬ／Ｌ−ＬＤＰＥ＃５０〜１００
ＯＮ＃２５／ＤＬ／ＣＰＰ＃５０〜１００
ＰＥＴ＃１２／印刷／ＤＬ／ＯＮ＃１５／ＤＬ／Ｌ−ＬＤＰＥ＃５０〜１００
ＰＥＴ＃１２／印刷／ＤＬ／ＯＮ＃１５／ＤＬ／ＣＰＰ＃５０〜１００
ＰＥＴ＃１２／印刷／ＤＬ／ＡＬ６〜１２μ／ＤＬ／ＯＮ＃１５／ＤＬ／Ｌ−ＬＤＰＥ＃５０〜１００
ＰＥＴ＃１２／印刷／ＤＬ／ＯＮ＃１５／ＤＬ／ＡＬ６〜１２μ／ＤＬ／ＣＰＰ＃５０〜１００
【００３３】
なお、「ＯＮ」は２軸延伸ナイロン、「ＤＬ」はドライラミネート、「Ｌ−ＬＤＰＥ」は直鎖状低密度ポリエチレン、「ＰＥＴ」はポリエチレンテレフタレート、「ＣＰＰ」は無延伸ポリプロピレンをそれぞれ表す。また、「＃」はμｍを意味する。
【図面の簡単な説明】
【００３４】
【図１】本発明の一実施形態にかかるスパウト付きガゼット袋の斜視図。
【図２】スパウトの斜視図。
【図３】袋本体を構成する底面部の平面図。
【図４】舟形に折り込まれた底面部の斜視図。
【図５】底面部が筒体に挿入された状態を示す平面図。
【図６】筒体の底部に形成された開き面と底面部とを示す斜視図。
【図７】底面部を開き面にシールした状態を示す斜視図。
【図８】筒体に形成された別形態の開き面と底面部とを示す斜視図。
【図９】重ね合わされた開き面の間に底面部を配し、筒体にシールした状態を示す斜視図。
【符号の説明】
【００３５】
１・・・・スパウト付きガゼット袋
２・・・・包装体
３・・・・平面部
４・・・・側面部
５・・・・折り込み線
６・・・・底面部
７・・・・中心折り線
１０・・・筒体
２０・・・スパウト
３０，４０・・・・開き面
３１，４２・・・折返し斜線
４１・・・切り込み
４３・・・折り線
Ｐ，Ｒ，Ｔ・・・基点
Ｌ１，Ｌ２・・・基線
【図１】
2008044641.tif 000003
【図２】
2008044641.tif 000004
【図３】
2008044641.tif 000005
【図４】
2008044641.tif 000006
【図５】
2008044641.tif 000007
【図６】
2008044641.tif 000008
【図７】
2008044641.tif 000009
【図８】
2008044641.tif 000010
【図９】
2008044641.tif 000011